(57)【要約】【課題】災害情報が最も必要とされる災害弱者や情報弱者となる視覚障害者や高齢者に対して、災害情報を音声化した上で通報する自動音声通報システムを提供することを目的とする。【解決手段】受信した電子メールに応じて自動的に音声化する自動音声化モジュールと、通報先を抽出して自動的に電話をかける自動電話通報モジュールとを有する自動音声通報システムとした。【選択図】  図１
2008017106.tif 000002
【特許請求の範囲】
【請求項１】
受信した電子メールに応じて自動的に音声化する自動音声化モジュールと、通報先を抽出して自動的に電話をかける自動電話通報モジュールとを有する自動音声通報システム。
【請求項２】
自動音声化モジュールは、受信メールデータを採用行抽出、単語変換及び必要文章を挿入する文書を合成する文書合成モジュールにより合成文章をデータ化して音声化する請求項１記載の自動音声通報システム。
【請求項３】
自動電話通報モジュールは、受信した電子メールに応じて通報先のアドレスを抽出する通報先抽出モジュールと、通報アドレスデータにより電話をかける請求項１記載の自動音声通報システム。
【発明の詳細な説明】
【技術分野】
【０００１】
大雨により危険な状態となった河川の水位や雨量あるいは河川の氾濫情報などの災害情報は、国土交通省や各自治体が既に構築・運用しているメール送信システムから送信されるメールを受信すれば入手できるが、本来災害情報が最も必要とされる災害弱者や情報弱者となる視覚障害者や高齢者は、災害情報をメールで提供されても活用することができないでいる。本発明は、災害情報等を音声化した上で通報する自動音声通報システムに関するものである。
【背景技術】
【０００２】
災害情報がメール送信システムから送信されても、災害弱者や情報弱者の視覚障害者や高齢者は電子メールで提供されても活用することができない。
【特許文献１】特開２００４−０８０５０９号公報
【発明の開示】
【発明が解決しようとする課題】
【０００３】
災害情報を音声化して通報するには、音声用のシステムを別途構築した上で、既存のメール送信システムと同一の情報を送信・伝達するという観点から、既存のメール送信システムにおいては新規に構築する音声用のシステムとインターフェースを設けるための改造が必要となるが、改造費用が発生することはもちろん、既存システムの改造中は情報が発信できないなどの問題があった。
【課題を解決するための手段】
【０００４】
本発明は、メールで送信された情報を、視覚障害者や高齢者にも音声化して伝達でき、既存あるいは新規のメール送信システムから送信するメールを活用し、対象通報者の抽出及び抽出者に一斉通報した上で、音声化したメール本文を読み上げる機能を備えさせるべく、受信した電子メールに応じて自動的に音声化する自動音声化モジュールと、通報先を抽出して自動的に電話をかける自動電話通報モジュールとを有する自動音声通報システムとした。
【０００５】
また、本発明は、メールデータにより音声化できるようにすべく、受信メールデータを採用行抽出、単語変換及び必要文章を挿入する文書を合成する文書合成モジュールにより合成文章をデータ化して音声化する。
【０００６】
さらに、本発明は、受信した電子メールに応じて通報先を抽出できるようにすべく、通報先のアドレスを抽出する通報先抽出モジュールと、通報アドレスデータにより電話をかけられるようにした。
【発明の効果】
【０００７】
本発明は、受信した電子メールに応じて自動的に音声化する自動音声化モジュールと、通報先を抽出して自動的に電話をかける自動電話通報モジュールとを有する自動音声通報システムであるので、メールで送信された情報を、視覚障害者や高齢者にも音声化して伝達でき、既存あるいは新規のメール送信システムから送信するメールを活用し、対象通報者の抽出及び抽出者に一斉通報した上で、音声化したメール本文を読み上げる機能を備えさせることができる。
【０００８】
また、本発明は、受信メールデータを採用行抽出、単語変換及び必要文章を挿入する文書を合成する文書合成モジュールにより合成文章をデータ化して音声化するので、メールデータにより音声化できる。
【０００９】
さらに、本発明は、電子メールに応じて通報先のアドレスを抽出する通報先抽出モジュールと、通報アドレスデータにより電話をかけられるので、通報先を抽出できる。
【発明を実施するための最良の形態】
【００１０】
本発明を添付する図面に示す具体的な一実施例に基づいて、以下詳細に説明する。
【００１１】
図１に本発明の自動音声通報システムの概要を示す。
【００１２】
本発明は、受信した電子メールに応じて自動的に音声化する自動音声化モジュール１と、通報先を抽出して自動的に電話をかける自動電話通報モジュール２とを有する自動音声通報システムである。
【００１３】
自動音声化モジュール１は、受信メールデータを採用行抽出、単語変換及び必要文章を挿入する文書を合成する文書合成モジュール３により合成文章をデータ化４して音声化５する。
【００１４】
自動電話通報モジュール２は、受信した電子メールに応じて通報先のアドレスを抽出する通報先抽出モジュール６と、通報アドレスデータ７により電話をかける８。
【００１５】
音声録音又はプッシュ応答による応答を保存９する応答対応モジュール１０を備えさせる。
【００１６】
本発明は、図２に示すように、既存のメール配信システムを活用し、「自動音声通報システム」を用いて、入力文章の自動音声化、対象通報者の抽出及び抽出番号に一斉通報し、自動で文章を読み上げる。応答確認は相手方の音声を録音して記録して行う。
【００１７】
受信対象者としては、災害弱者・情報弱者（視覚障害者、高齢者）、防災・防犯関係者、一般的な情報受信者である。
【００１８】
また、通報する情報の例は、各種防災情報（河川水位、雨量、氾濫情報）、各種防犯情報、職員参集・安否確認情報、一般的な告知情報である。
【００１９】
システム処理の主な流れとしては、(1) 文章他入力・設定、(2) 登録したアドレス抽出及び文章変換、(3) 変換文章の音声化、(4) 電話による一斉通報、(5) 応答状況集計である。
【００２０】
文書合成モジュール３は、採用行抽出、単語変換、必要文挿入をメール単位で実行する。
【００２１】
採用行抽出は、図３に示すメールで必要な行を抽出し、１、２、４、５、７、８、９、１１、１２、１３、１４、１５、１６、１７、１８、１９、２１、２２、２３、２４、２６、２７、２８、２９、３１、３２行目を抽出することとなる。
【００２２】
単語変換は、例えば図３のメールで「Ｈ１８／０２／２６  １６：４０」は、「平成１８年２月２６日  １６時４０分」のように変更する。
【００２３】
必要文挿入は、その都度その事態に応じた文章を適した行に挿入する。
【００２４】
様々なメール配信システムから送信されるメールは、図１に示すように、メールサーバ１、メールサーバ２、メールサーバ３、メールサーバ４を経て受信され、受信されたメールの中から防災や防犯に必要な情報が受信＆カットアウトモジュール１１で選別される。      
【００２５】
次に、そのメールは文書合成モジュール３で採用行抽出、単語変換、必要文書挿入を行い、合成文章４を作成し、音声化５し、自動音声化モジュール１により音声データ１２を作成する。
【００２６】
一方、通報先モジュール６により通報アドレスデータ７を作成する。
【００２７】
前記音声データ１２により通報アドレスデータ７の通報先に電話をかける８。
【００２８】
応答対応モジュール１０により音声録音又はプッシュ応答により応答９がなされる。
【００２９】
上記のように、本発明は、メールで送信された情報を、視覚障害者や高齢者にも音声化して伝達でき、既存あるいは新規のメール送信システムから送信するメールを活用し、対象通報者の抽出及び抽出者に一斉通報した上で、音声化したメール本文を読み上げる機能を備えさせることができる。                                                      
【実施例】
【００３０】
図３に示すように、差出人から送付された防災情報が利用されている。
【産業上の利用可能性】
【００３１】
本発明は、防災、防犯の情報であるが、行政や企業から発信される各種の情報の伝達、職員の安否確認、参集確認など、現在メールを用いて実施されている全ての仕組みに対応して利用できる。
【図面の簡単な説明】
【００３２】
【図１】本発明の自動音声通報システムの概要図である。
【図２】本発明の自動音声通報システム図である。
【図３】本発明の文書合成モジュールを説明する図である。
【符号の説明】
【００３３】
１…自動音声化モジュール
２…自動電話通報モジュール
３…文書合成モジュール
４…合成文章
６…通報先抽出モジュール
７…通報アドレスデータ
【図１】
2008017106.tif 000003
【図２】
2008017106.tif 000004
【図３】
2008017106.tif 000005